Podtech/llm-jp-corpus-v4-ja_patent huggingface dataset:
(57)【要約】【課題】タクシーの場合密室で、運転手の首の後ろが客であり危険を感じても、前を向いてシートベルトを締めている運転手、身を守ることは一手も二手も遅れ被害を受けざるをえない。深夜人里はなれた場所への営業は不安がいっぱいである。【解決手段】犯人の一番怖いのは、犯罪を起こそうとする初期に外から声がかかること。セキリテイにインプットしてある言葉（例えば金を出せ！　おれの言うことを聞け！）などをキャッチすると同時に、警官の顔がパット画面に出て　゛強盗発生！現場に急行せよ！゛と大きな警官の声が流れ、つづいて犯人の顔が映像に写ることで、犯人はまず自分の姿がうつるカメラを壊すことに向きます。この一瞬のすきで、シートベルトをはずし外に逃げ出す時間が出来る。又無害の目つぶし噴射でも逃げる時間がかせげ命が守れると考える。【選択図】　　　　　図１
2004102964.tif 000002
【特許請求の範囲】
【請求項１】
運転席のいすの後ろと客席前部にセキリテイー電波の仕切り感知機を設置し、人の熱、金物を感知すると同時にハンドルの左手に設置したテレビ画像１が自動的に作動し、１１０番につながり動く警官の姿を映し出す画像テレビ設置（テレビ電話式）
【請求項２】
警官の動く画像がでたと同時に、パトカーに緊急指令が出される画像がうつり、その後からすぐ、犯人の動く画像を録画するシステム。
【請求項３】
又危険な言葉、音声を感知した時も同時に１１０番につながり上記同様　瞬時に警官の画像と警官の大声が出るものなり。
【請求項４】
運転手の自衛として、客の異常を察知した時、足元の都合のよいところに設置した３のボタンをけり、２から害のない目つぶし液、噴射と同時に上記と同様１１０番につながりる装置システイム
【請求項５】
異常を感知した時、自動的に車内の映像が作動し警察に送信されるカメラ４の設置。
【発明の詳細な説明】
【０００１】
【発明に属する技術分野】
車の中の密室が犯罪につながっている。即外部の警官の画像で犯人をひるむさせることができないものかと考えた。犯罪のおきる前には、脅し文句があり運転手席への、犯人の体の乗り出しがあるはずと考えた。これをキャッチすることで初期に１１０番に自動的につながるシステムが必要と考えた。なお犯人が犯罪をおかそうとする姿を映し出し録画され警察に送信されていると知ったなら犯罪は防げるのではと考えた。
【０００２】
【従来の技術】
タクシーの場合密室で、首の後ろが客であり危険を感じても、前を向いてシートベルトをしめていては、身を守ることは一手も二手も遅れ被害を受けざるをえない。深夜人里はなれた場所への営業は不安でいっぱいである。
【０００３】
【発明が解決しようとする課題】
動く映像が容易に取り入れられ、危険な言葉をキャッチすることも簡単に出来るセキリテイが進んだ現在こうした動きをキャッチすることで自動的に１１０番に連絡が行き、目の前に警官の画像が急に出て大声の緊急配備がなされたことが耳に入り、又すぐ犯人自身の映像が目の前テレビ画像に流れるとしたなら、自分の恐ろしい姿に驚きテレビ画像を壊そうと気がそちらに向くと思う。一瞬のすきを見て逃げられるのではと考えた。
【０００４】
【課題を解決しようとする手段】
大きな声、後ろから急に前に乗り出す人の熱、刃物など自動的にキャッチし、自動的に１１０番につながり、警官の姿が即車の中に飛び込み写り、つづいて恐ろしい自分（犯人）の顔が映像に出てくるシステム設置をそなえることで、検挙率はアップし、犯罪抑制に大きくつながると考えた。
【０００５】
又運転手自身の防衛として足で３のボタンをけることで、２から無害な目つぶし液の噴射をする装置を設置する。この噴射の作動でも１１０番に自動的につながるものとするものなり。　目の前の、自分の動画の録画に犯罪を思いとどまり逃げるものと思う。
【０００６】
【発明の実地の形態】
セキリテイシステムに犯罪をおこす時の言葉の数々を記憶させ（例えば、金を出せ、おれの言うことを聞けなど）、こうした言葉を感知した時、自動的に警察のテレビ電話につながり、車内にも犯人の姿がしっかり残り犯罪の抑制になる大きな力となる。。車内で異常が起きると同時に警官の映像と大きな警官のは声、運転手の命を救うことになる。
【０００６】
【実地例】
防災自動連絡システムのように、セキリテイシステムが、車内の異常を察知した時、即１１０番につながる画像をハンドルの左手の１に設置する。３は犯人の映像も同時に警察に送る。
【０００７】
【発明の効果】
犯人の一番怖いのは犯罪を起こそうとする初期に声がかかることです。セキリテイにインプットしてある言葉（例えば金を出せ）をキャッチすると同時に警官の顔がパット画面に出て　゛強盗発生！現場に急行！゛と流れ、つづいて犯人の顔の画像が流れれば、犯人はまずはカメラを壊すことに向きます。シートベルトをはずし、外に逃げる時間が出来る。又目つぶし噴射でも逃げる時間が
かせげ命が守れると考える。
【図面の簡単な説明】
【図１】運転席に設置した自動作動防犯テレビカメラ、緊急目つぶ
し設置の図
【符号の説明】
１　　　　異常を察知した時自動的に１１０番につながるテレビ電話
２　　　　無害目つぶし噴射装置の口
３　　　　自由なところに設置できるめつぶし噴射の足踏みスイッチ
４　　　　異常事態発生をキャッチした時さどうする犯人を写すカメラ
５　　　　ハンドル
【図１】
2004102964.tif 000003
(57)【要約】【課題】健康機器の使用への課金を簡易にする。【解決手段】健康機器２０を使用する都度、情報カード３０に使用回数を加算し、この使用回数をもとに、使用料金を計算する。【選択図】　図１
2004102580.tif 000002
【特許請求の範囲】
【請求項１】
健康機器と、前記健康機器に付設される第１情報処理装置と、使用者に貸与される情報カードとからなり、前記情報カードの記憶された許可信号が前記第１情報処理装置に検知されたときに限り前記健康機器を使用可能状態となり、前記許可信号が前記第１情報処理装置に検知される都度、前記情報カードには前記健康機器の使用回数が加算・記憶され、前記使用回数が第２情報処理装置により読み取られて前記使用者への請求金額が計算されるようにした、健康機器管理システム。
【請求項２】
前記情報カードに記録された前記使用回数その他の情報は、インターネットその他のネットワークを介してサーバーに記憶されるようにした、請求項１記載の健康機器管理システム。
【発明の詳細な説明】
【０００１】
【発明の属する技術分野】
本発明は、健康機器管理システムに関する。
【０００２】
【従来の技術】
周知のように、スポーツセンターにおいては、プールその他のスポーツ施設の他、自転車漕ぎをシミュレーとするサイクリングマシンや歩行を行うウオーキングマシンといった健康機器が設置されている。これらの健康機器には使用者特定装置が接続されており、使用者が使用する都度、彼／彼女の運動情報が、使用者特定装置からインターネットを介して遠隔地にあるサーバーに記憶されるようになっている。そして、運動完了後、使用者特定装置を使用して、前記した運動情報を閲覧できるようになっている（例えば、特許文献１参照。）。
【０００３】
【特許文献１】
特開２００２−９５７７３号公報　（第２―５頁、図１−図４）
【０００４】
【発明が解決しようとする課題】
しかしながら、新たな健康機器を導入し、この新たに導入された健康機器についてのみ、別料金としようとする場合、課金態勢が煩瑣になり、料金回収漏れの可能性がある。
【０００５】
それ故に、本発明は、かような不具合のない健康機器管理システムを提供することを技術的課題とする。
【０００６】
【課題を解決するための手段】
上記した課題を解決するために講じた手段は、請求項１記載のように、「健康機器と、前記健康機器に付設される第１情報処理装置と、使用者に貸与される情報カードとからなり、前記情報カードの記憶された許可信号が前記第１情報処理装置に検知されたときに限り前記健康機器を使用可能状態となり、前記許可信号が前記第１情報処理装置に検知される都度、前記情報カードには前記健康機器の使用回数が加算・記憶され、前記使用回数が第２情報処理装置により読み取られて前記使用者への請求金額が計算されるようにした、健康機器管理システム」を構成したことである。
【０００７】
尚、請求項２で示すように、請求項１の健康機器管理システムにおいて、前記情報カードに記録された前記使用回数その他の情報は、インターネットその他のネットワークを介してサーバーに記憶されるようにしても良い。
【０００８】
【発明の実施の形態】
以下、本発明にかかる健康機器管理システムをスポーツセンタに適用した実施の形態を、具体的に説明する。
【０００９】
図１において、スポーツセンタ１０には、無料で使用できる健康機器１２及び有料で使用できる健康機器２０が設置されている。健康機器１２としては、例えば、一般家庭にも普及している自転車漕ぎをシミュレーとするサイクリングマシンや歩行を行うウオーキングマシンを想定される。また、有料で使用できる健康機器２０としては、例えば、特許第２７９６２７７号公報に開示される筋肉増強器具を採用することが出来る。
【００１０】
健康機器２０には、マイコン主体の第１情報処理装置２２が付設される。第１情報処理装置２２には、カード読み取り／書き込み部（図示略）を備えており、このカード読み取り／書き込み部に、使用者が彼／彼女固有の情報カード３０を挿入すると、健康機器２０が使用可能となる。すなわち、情報カード３０には使用許可信号が記憶されており、カード読み取り／書き込み部に情報カード３０が挿入されたとき、第１情報処理装置２２が使用許可信号を認識すると、第１情報処理装置２２は、健康機器２０のロック状態を解除して、使用可能状態とする。使用許可信号を記憶した情報カード３０がない限り、健康機器２０を使用できないので、その無断使用を防止できる。
【００１１】
また、第１情報処理装置２２により使用許可信号が認識され都度、情報カード３０には健康機器２０の使用回数が加算・記憶されるようになっている。尚、情報カード３０がカード読み取り／書き込み部に挿入されたとして、第１情報処理装置２２が使用許可信号を認識しない限り、第１情報処理装置２２は、健康機器２０のロック状態を保持して、その使用を許可しないようになっている。
【００１２】
使用者が健康機器２０を使用している間、使用者の運動能力に関する情報が、逐次、情報カード３０に書き込まれる。使用者が健康機器２０の使用を中止すると、使用者は情報カード３０がカード読み取り／書き込み部から抜き取ることになる。このとき、情報カード３０には、新たに、健康機器２０の使用回数及び最新の運動能力に関する情報が記憶されることになる。
【００１３】
スポーツセンタ１０の受け付けカウンタには、マイコン主体の第２情報処理装置４０が設置されている。第２情報処理装置４０は、第１情報処理装置２２と同様に、カード読み取り／書き込み部（図示略）を備えている。フロントマンが前記した情報カード３０を使用者から受け取ってカード読み取り／書き込み部に挿入すると、未払い分の使用回数に依拠して、第２情報処理装置４０は使用料金を計算して、ディスプレイ４２に表示する。使用者は、現金払いか、口座引き落としかを選択し、いずれかに関する情報が、図示されないキーボードから入力される。
【００１４】
第２情報処理装置４０は、インターネット５０を介して、遠隔地ないしはスポーツセンタ１０及び他のスポーツセンタを統合する部署に設置されるサーバー６０に接続されており、情報カード３０に記憶されている情報は、全て、サーバー６０に記憶されるようになっている。サーバー６０に記憶される内容は、来歴的に記憶されており、使用者は、いつでも、情報カードをカード読み取り／書き込み部に挿入して、所定の操作を行うことにより、第２情報処理装置４０のディスプレイ４２若しくは他の端末装置の表示装置（図示略）から、自己情報を全て、来歴的に閲覧することが出来る。
【００１５】
【発明の効果】
本発明によれば、健康機器の使用に対する課金を簡単に行える、実用上、多大な効果を奏する。
【図面の簡単な説明】
【図１】本発明に係る健康機器システムの実施の形態を示すブロック図。
【符号の説明】
２０　健康機器
２２　第１情報処理装置
３０　情報カード
４０　第２情報処理装置
５０　インターネット
６０　サーバー
【図１】
2004102580.tif 000003
(57)【要約】【課題】解決しようとする課題は、従来のリストレストでは温熱効果が無く、冬季時の指先の冷えからなるキーボード操作の作業効率の低下及び、肩こり、肘、腕、手首への血行障害による不快な作業環境を緩和することが出来なかった事を課題とする。【解決手段】本発明は、遠赤外線効果のある特殊ラミネートフィルムでカーボングラファイトシートをラミネートした面状発熱体を内蔵することにより、触感による温熱効果を得られるため、熱によるＯＡ機器の故障を回避し、冬季におけるキーボード操作の作業効率を高め、肩こり、肘、腕、手首への血行障害による不快な作業環境を緩和することが出来、ストレス無く快適なキーボード操作を行うことが出来る温熱リストレストを提供する。【選択図】　　　図５
2004102560.tif 000002
【特許請求の範囲】
【請求項１】
両端に端子を施したカーボングラファイトシートを、摂氏３２℃より遠赤外線放射が可能になる添加物を施したラミネートフィルムでラミネートした面状発熱体を、適度な堅さからなるスポンジゴム等の弾性素材で挟み込み、その周りを抗菌処理された肌触りの良い柔軟な順応性材料からなる被覆材で覆った温熱リストレスト。
【請求項２】
内部に発熱体を有し薄型で柔軟性を有するシート状のヒーターユニットと発熱体の温度を制御するサーモスタットを、請求項１記載の被覆材からなるファスナー付きカバーに内蔵することにより、カバーのクリーニング及び交換可能となる、請求項１に記載の温熱リストレスト。
【請求項３】
温度調節可能な手元コントローラーを有する、請求項１、請求項２に記載の温熱リストレスト。
【請求項４】
暖房器具等の熱によるＯＡ機器の故障を回避し、触感による温熱効果を得られるカーボングラファイトシートの面状発熱体を内蔵する温熱リストレスト。
【発明の詳細な説明】
【０００１】
【発明が属する技術分野】
本発明は、冬季パソコン作業時に、指先の冷えからなる血行障害により作業効率の低下を防ぎ、且つ肩こり、肘、腕、手首への血行障害を緩和し、ストレス無く快適な作業環境を提供する温熱リストレストに関するものである。
【０００２】
【従来の技術】
従来のこの種のリストレストは特許公開平９−７３３４８に記載されいるようなものが一般的であった。それらは、キーボード等の操作時において、手首の血管が圧迫されることを防止して血行障害から使用者を保護するのが主な目的であった。
【０００３】
【発明が解決しようとする課題】
上記従来のリストレストでは温熱効果が無く、冬季時の指先の冷えからなるキーボード操作の作業効率の低下及び、肩こり、肘、腕、手首への血行障害による不快な作業環境を緩和することが出来なかった事を課題とする。
【０００４】
【課題を解決するための手段】
本発明は、上記課題を解決するため、両端に端子とサーモスタットを施したカーボングラファイトシートの保護及び柔軟性を確保するためラミネート加工を施す。
【０００５】
上記ラミネートシートは、摂氏３２℃より遠赤外線放射が可能になる添加物を施した特殊ラミネートを使用することにより、遠赤外線効果による身体内部からの温熱効果が得られる。
【０００６】
又、カーボングラファイトシートには電磁波を吸収する特徴があり、電磁波による人体への悪影響を防止することが出来る。
【０００７】
特殊ラミネート加工されたカーボングラファイトシート（以後、面状発熱体と呼ぶ）を適度な堅さからなるスポンジゴム等の弾性素材で挟み込む事により面状発熱体を外圧より保護し、尚かつ従来のリストレストにおけるキーボード等の操作時による手首の血管の圧迫及び血行障害から使用者を保護する。
【０００８】
上記加工された面状発熱体を、抗菌処理された肌触りの良い柔軟な順応性材料からなる被覆材で覆い、ファスナーを側部に設けることにより上記加工された面状発熱体を出し入れ可能となるＡＣ電源仕様の温熱リストレスト。
【０００９】
【発明の実施の形態】
以下、本発明の一実施例を図面に基づいて説明する。
【００１０】
図１は、面状発熱体と適度な堅さからなるスポンジゴム等の弾性素材の解体斜視図である。図２は面状発熱体の平面図である。図３は面状発熱体を適度な堅さからなるスポンジゴム等の弾性素材で挟み込んだ透視斜視図である。図４は本体断面図である。図５は本体使用状態図である。
【００１１】
図１〜図５において、１は適度な堅さからなるスポンジゴム等の弾性素材であり、２はカーボングラファイトシート、３は端子、４は特殊ラミネートフィルム、５はサーモスタット、６は抗菌処理された肌触りの良い柔軟な順応性材料からなる被覆材による外カバー、７は手元コントローラー、８は取り出し口ファスナー、９はリード線、１０はＡＣコンセントである。
【００１２】
次に動作、作用について説明すると、手元コントローラー７でカーボングラファイトシート２の発熱体を通電制御し、カーボングラファイトシート２の発熱体を温度可変制御し適温を保持する。カーボングラファイトシート２の発熱体は特殊ラミネートフィルム４でラミネート加工され適度な堅さからなるスポンジゴム等の弾性素材１で挟み込まれているので、スポンジゴムを加温する事により触感の良い温熱効果を得られる。又、抗菌処理された肌触りの良い柔軟な順応性材料からなる被覆材による外カバー６は、クリーニング及び交換可能なように側部にファスナーを設ける。
【発明の効果】
以上説明したように本発明は、従来のリストレストに無い温熱機能を持たせることにより、冬季におけるキーボード操作を快適な作業環境で行う事が出来、身体における不快感及びストレスを解消することが出来、作業能率の向上にも貢献できる効果がある。
【図面の簡単な説明】
【図１】面状発熱体と適度な堅さからなるスポンジゴム等の弾性素材の解体斜視図である。
【図２】面状発熱体の平面図である。
【図３】面状発熱体を適度な堅さからなるスポンジゴム等の弾性素材で挟み込んだ透視斜視図である。
【図４】本体断面図である。
【図５】本体使用状態図である。
【符号の説明】
１　クッション材
２　カーボングラファイトシート
３　端子
４　遠赤外線効果のあるラミネートフィルム
５　サーモスタット
６　外カバー
７　手元コントローラー
８　ファスナー
９　リード線
１０　ＡＣコンセント
【図１】
2004102560.tif 000003
【図２】
2004102560.tif 000004
【図３】
2004102560.tif 000005
【図４】
2004102560.tif 000006
【図５】
2004102560.tif 000007
(57)【要約】【課題】本発明は、駅前付近に放置されたままの自転車を強制的に回収移動させた後に、これを貸自転車として処分するシステムに関するものである。【解決手段】本発明は、駅前等に放置された自転車を市町村等の地方自治体の行政機関が撤去しかつ所定期間経過後に引き取りに来ないものを地方自治体に移転回収し、盗難車でないことを確認された自転車について、これを貸自転車とするために当該地方自治体の識別マークを付するとともにバーコードシールを装着し、貸自転車のユーザーは地方自治体が委託する管理会社のレンタル窓口で会員証の発行を受け、会員証には各種のデータを入力できるようにし、レンタル料の支払いは任意方法によって行うようにするものである。【選択図】　　図１
2004102884.tif 000002
【特許請求の範囲】
【請求項１】
駅前等に放置された自転車を市町村等の地方自治体の行政機関が撤去しかつ所定期間経過後に引き取りに来ないものを地方自治体に移転回収し、盗難車でないことを確認された自転車について、これを貸自転車とするために当該地方自治体の識別マークを付するとともにバーコードシールを装着し、貸自転車のユーザーは地方自治体が委託する管理会社のレンタル窓口で会員証の発行を受け、会員証には各種のデータを入力できるようにし、レンタル料の支払いは任意方法によって行うようにすることを特徴とする放置自転車の処理システム。
【発明の詳細な説明】
【０００１】
【発明の属する技術分野】
本発明は、駅前付近に放置している自転車の処理システムに関するものである。
【０００２】
【従来の技術】
従来、各地の列車駅の駅前付近には列車利用者等の自転車，原付自転車，バイクなどが長期間放置されたままになっていることが多いことから、法律に基いて市町村等の地方自治体がそれぞれ条例によって処分することができることになっている。
【０００３】
しかし、その処分は各地方自治体によって様々な方法をとっているが、画一的なシステムの必要性が叫ばれていた。
【０００４】
【発明が解決しようとする課題】
そこで、本発明は、各地方自治体において、特に駅前等放置の自転車の保管後における処理に関して新しいシステムを提供することを目的とするものである。
【０００５】
【課題を解決するための手段】
本発明は、駅前等に放置された自転車を市町村等の地方自治体の行政機関が撤去しかつ所定期間経過後に引き取りに来ないものを地方自治体に移転回収し、盗難車でないことを確認された自転車について、これを貸自転車とするために当該地方自治体の識別マークを付するとともにバーコードシールを装着し、貸自転車のユーザーは地方自治体が委託する管理会社のレンタル窓口で会員証の発行を受け、会員証には各種のデータを入力できるようにし、レンタル料の支払いは任意方法によって行うようにするシステムである。
【０００６】
【実施例】
本発明のシステムの実施例を順に追って説明する。（図１参照）
【０００７】
放置自転車を地方自治体の行政機関が撤去し、所定期間経過、保管していても、引き取りに来ない場合には、自転車の所有者が放棄したものとみなし、その自転車を事実上地方自治体に移動する。即ち、地方自治体の行政機関は放置自転車を完全回収する。
【０００８】
行政機関は、放置自転車を警察署に届け出て、それが盗難車でないかどうかを確認する。
【０００９】
行政機関は、確認された放置自転車であることを識別する色マークを付し、これを管理会社に無償で貸与する。この管理会社は、自治体と鉄道会社などによる出資会社である。
【００１０】
管理会社は、駅周辺に設置したレンタル窓口に貸自転車を適当数配置する。
【００１１】
配置された貸自転車は、提携した自転車屋などによって点検，整備を行う。
【００１２】
貸自転車には、簡易読み取り認識用バーコードを印刷したシールを装着し、これによって出入庫の管理をコンピュータによって行う。また、定期点検記録や事故保険の付保にも、このバーコードを利用する。
【００１３】
貸自転車のユーザーは、レンタル窓口でレンタル会員の申込みをし、管理会社はレンタル会員証を発行する。
【００１４】
このレンタル会員証には、会員証番号、貸自転車番号、貸自転車の所在地（駅名）、レンタル記録等のデータを入力する。
【００１５】
レンタル料の支払方法は、現金，回数券のほか、クレジットカード，デビットカード，スイカ等によって行う。
【００１６】
借りた自転車を返却する場所は、指定場所であればどこでもよい。
【００１７】
【発明の効果】
本発明は以上のようなシステムであるため、駅前等における放置自転車を合法的に地方自治体に移転させることによって回収し、これを管理会社にレンタル委託することによって貸自転車業を行うものであり、従来、駅利用の市民に多大な迷惑を与えていた放置自転車の有効利用を行うことができ、その効果は大きい。
【図面の簡単な説明】
【図１】本発明全体のシステム図である。
【図１】
2004102884.tif 000003
(57)【要約】　　　（修正有）【課題】現在、使用されている眼鏡（近視用眼鏡、サングラス、老眼鏡等一切含む）は、単に前方向の視界の確保にとどまっていた。後方向及び斜め後方向視界を確保することができる眼鏡を提供する。【解決手段】眼鏡フレームにレンズを入れ、左右のレンズの外側の鏡（バックミラー）を設置して、後方向及び斜め後方向の視界を確保するものであり、前を向きながら、後方向や斜め後後方視界の確保ができ、広い視野の確保が可能となる。【選択図】図１
2004102206.tif 000002
【特許請求の範囲】
【請求項１】
１．眼鏡（めがね）に設置のバックミラーの発明は、全ての眼鏡（近視用眼鏡、サングラス、老眼鏡等一切含む）の後方向及び斜め後方向視界を確保するもである。
【発明の詳細な説明】
【０００１】
【発明の属する技術分野】
本発明は、眼鏡の後方向及び斜め後方向視界を確保するものである。前を向きながら後方向及び斜め後方向視界が確保でき、日常生活に非常に有益である。
【０００２】
【従来の技術】
各眼鏡が世界中の眼鏡メーカーから発売されているが、当、後方向及び斜め後方向視界確保用眼鏡は発売されていない。
【０００３】
【発明が解決しようとする課題】
現在使用している眼鏡は、日常生活で後方向及び斜め後方向視界が確保できず、後方向や斜め後方向を振り向く必要があった。後方向及び斜め後方向視界確保用眼鏡の着用により前を向きながら後方向や斜め後方向を見ることができる。
【０００４】
【課題を解決するための手段】
眼鏡の左右のレンズの外側に鏡（バックミラー）を設置して、後方向及び斜め後方向の視界を確保する。
【０００５】
【発明の実施の形態】
眼鏡フレームにレンズを入れ、その外側に鏡（バックミラー）を設置する。
【０００６】
【発明の効果】
上記の眼鏡を着用することにより、後方向や斜め後方向の視界が確保できる。
【図１】
2004102206.tif 000003
【図２】
2004102206.tif 000004
【手続補正書】
【提出日】平成14年12月10日(2002.12.10)
【手続補正１】
【補正対象書類名】明細書
【補正対象項目名】図面の簡単な説明
【補正方法】追加
【補正の内容】
【図面の簡単な説明】
【図１】平面図
眼鏡の左右のレンズの上方外側に鏡（バックミラー）を設置する。
左右のレンズの外側（眼鏡を掛ける人よりレンズの外側）の鏡（バックミラー）により、眼鏡を掛けることにより、前を向きながら、後方向や斜め後方向の視界の確保ができ、広い視野の確保が可能となる。
【図２】立面図
眼鏡の左右のレンズの上方外側に鏡（バックミラー）を設置する。
左右のレンズの外側（眼鏡を掛ける人よりレンズの外側）の鏡（バックミラー）により、眼鏡を掛けることにより、前を向きながら、後方向や斜め後方向の視界の確保ができ、広い視野の確保が可能となる。
(57)【要約】【課題】腕のみでビデオカメラを支える従来の撮影方法は、腕への荷重負担が大きく、長時間の撮影には困難が伴った。【解決手段】ビデオカメラに取り付けた支持棒を、首から提げたベルト、および、胴体で支えることにより、ビデオカメラの重量が、首、および、上半身に分散される。【選択図】図１
2004102207.tif 000002
【特許請求の範囲】
【請求項１】
ビデオカメラに取り付けた支持棒を、首から提げたベルト、および、胴体で支えることを特徴とする、ビデオカメラ用撮影補助器具。
【請求項２】
ビデオカメラで撮影を行なう際、それを支える腕への荷重負担を軽減するため、ビデオカメラの重量を、首、および、上半身に分散させることを特徴とする、請求項１記載のビデオカメラ用撮影補助器具。
【発明の詳細な説明】
【０００１】
【発明の属する技術分野】
この発明は、ビデオカメラ撮影の補助に関する。
【０００２】
【従来の技術】
従来のビデオカメラ撮影は、図５に示すように両腕のみでビデオカメラを支えるものである。
【０００３】
【発明が解決しようとする課題】
しかしながら、以上の従来技術によれば、ビデオカメラを支える腕への荷重負担が大きく、長時間の撮影には困難が伴った。
そこで、この発明は、腕への荷重負担を軽減する機能を持つ、ビデオカメラ用撮影補助器具を提供することを課題とする。
【０００４】
【課題を解決するための手段】
以上の課題を解決するために、請求項１の発明は、ビデオカメラに取り付けた支持棒を、首から提げたベルト、および、胴体で支えることを特徴とする、ビデオカメラ用撮影助器具である。
また、請求項２の発明は、ビデオカメラで撮影を行なう際、それを支える腕への荷重負担を軽減するため、ビデオカメラの重量を、首、および、上半身に分散させることを特徴とする、ビデオカメラ用撮影補助器具である。
【０００５】
【発明の実施の形態】
この発明の一実施形態を、図１、図２、図３、図４に示す。
ベルト（大）１はナイロン、もしくは革製で、支持棒２の下部につながっている。支持棒２の下部先端には角度を変えられる板３が付いている。ベルト（大）１は長さの調節が可能。支持棒２も長さの調節が可能。支持棒２の上部先端には、ビデオカメラを取り付ける台４が付いている。台４は角度を変えることが可能。また、支持棒２の上部とベルト（大）１は、ベルト（小）５によってつながっており、ベルト（大）１とベルト（小）５の接合部はスライドして位置を変えることが可能になっている。ベルト（小）５もナイロン、もしくは革製。
【０００６】
「実施形態の効果」
この実施形態によれば、ビデオカメラの重量が支持棒２から板３を伝わり上半身へ、また、ベルト（大）１を伝わり首へと分散されるため、ビデオカメラを支える腕への荷重負担が軽減される。
【０００７】
【発明の効果】
以上説明したように、この発明によれば、ビデオカメラで撮影を行なう際、それを支える腕への荷重負担を軽減でき、長時間の撮影を容易にすることができる。
【０００８】
また、腕への荷重負担が軽減されることにより、ビデオカメラの操作を、よりスムーズに行なうことができる。
【図面の簡単な説明】
【図１】この発明の一実施形態を示す側面図である。
【図２】この発明の一実施形態を人が使用している状態の斜視図である。
【図３】この発明の一実施形態を人が使用している状態の側面図である。
【図４】この発明の一実施形態を人が使用している状態の正面図である。
【図５】従来技術を示す斜視図である。
【符号の説明】
１　ベルト（大）
２　支持棒
３　板
４　台
５　ベルト（小）
【図１】
2004102207.tif 000003
【図２】
2004102207.tif 000004
【図３】
2004102207.tif 000005
【図４】
2004102207.tif 000006
【図５】
2004102207.tif 000007
(57)【要約】【目的】音楽・歌謡映像面に歌詞とその譜面（楽譜）を同時的／可変的に表示する。【構成】テープまたはディスク（ＤＶＤ）に音声と楽譜・譜面・映像を収録し、これを同一画面上に自在な色彩・音量として、自在に選択しうる電子映像表示方法とその装置。【選択図】　　　　図１
2004102205.tif 000002
【特許請求の範囲】
【請求項１】
映像・音声・歌詞を表示するカラオケ画面において、画面下部域に表示される歌詞文字群の上部もしくは下部位置に、歌詞に対応する音符を五線と共に同時に並列表示しうることを特徴としたカラオケ画像の譜面表示方法。
【請求項２】
譜面・指揮者像をＤＶＤに収録し、この内容を選択して液晶電子画面に表示しうる画像表示方法において、独自のグループ・組織の画面ネットを有し、任意に画像配信を行なうことを特徴とした歌唱・楽器演奏用電子譜面装置。
【発明の詳細な説明】
【０００１】
【発明の属する技術分野】
本発明は映像画面における譜面の表示技術に関する。
【０００２】
【従来の技術】
映像・音楽・歌詞がブラウン管や液晶スクリーン上に表示され、映像と音声の伝達によって情報や歌を楽しむテレビやカラオケ技術は公知である。
【０００３】
【発明が解決しようとする課題】
しかし従来のカラオケ画面においては、歌や音楽の発声・音階等を知るために不可欠な譜面（楽譜／音符）の表示がないことによって利用者は正しい音律・音階を知ることが出来ない不便があった。
【０００４】
【課題を解決するための手段】
本発明は可視によって音符を判別し、発声による歌唱表現や学習音符の理解によって知力・能力・歌唱力の向上を目指すことや健康の維持を図りうるカラオケ装置において、音楽映像に歌詞を表示したカラオケ画面に、必要に応じて五線音符を示す譜面（楽譜）を同時に表示しうる方法と装置を提示するものである。また歌詞と譜面を同時にスクリーン上に投影すること等により、音楽教育の場においても正しい発音・発声・音階の理解学習が多人数同時に行なえる。またオーケストラ等同一譜面で多数の楽器演奏を行なう場合、指揮者の指示が各演奏者の電子スクリーン上に同時表示されるべく各グループ・組織等の専用配信ネットを有し、外部よりの妨害を防ぐ仕組みである。
【０００５】
【実施例】
本発明の実施例を図について説明すると次の通りである。一般のカラオケ装置は画像スクリーン（１）の下部域（２）に歌詞文字（３）が順次に表示される仕組みである。本発明においてはアナログ・デジタルのいずれの画面においても歌詞文字表示の上部域に五線（４）、音符（５）を同時に表示する仕組みであり、必要に応じて指揮者像（６）を表示することもできる。歌詞と譜面の同時的表示によれば、視聴者や歌唱者、演奏者は正しい音階・発声・音律によっての練習が行なえ、同時に各音符の理解・学習に役立つことになる。楽譜面を電子画像として表示することによれば、楽器の演奏やオーケストラ等の演奏の合理化に役立つことは自明である。
【０００６】
【発明の効果】
楽器演奏者は演奏中の譜面手捲り作業も不要となり膨大な譜面がコンパクトになる。学校等の音楽教育の場においても、またカラオケによっても世界共通の音符譜面の学習理解が拡がれば各国家・民族の歴史・文化等が人類共通の音楽を介して理解され、音楽が地球における平和共存に国境を越えて資することになる。
【図面の簡単な説明】
【図１】本発明の電子画面の表示例を示す正面図。
【符号の説明】
１…電子スクリーン
２…スクリーン下部域
３…歌詞文字
４…五線
５…音符
６…指揮者像」
【図１】
2004102205.tif 000003
(57)【要約】【課題】ベースソースの白色と有色香辛料および有色野菜のあざやかな色のコントラストが際立ったホワイトソース類を提供することを目的とする。【解決手段】ブランチング処理された有色香辛料および／または有色野菜を用いてなる、ホワイトソース類の製造方法。【選択図】      なし【特許請求の範囲】
【請求項１】
ブランチング処理された有色香辛料および／または有色野菜を用いることを特徴とする、ホワイトソース類の製造方法。
【発明の詳細な説明】
【０００１】
【発明の属する技術分野】
本発明は、ホワイトソース類の製造方法に関する。
【０００２】
【従来の技術】
ホワイトソース類は、パスタソース、シチュー、スープ等のソース類の中で大きなウェートを占めるジャンルである。そして、ホワイトソース類の特徴の１つが色の白さであり、この白い色がホワイトソース類に加える色あざやかな具材の様々な色を引き立て、全体の見た目が食欲をそそるものにしている。
【０００３】
しかしながら、色あざやかな具材を加えるほど、これらの具材から滲み出る色素の影響で、ホワイトソース類自身の白い色を損ねることになり、かえってベースソースと具材の色のコントラストを妨げ、かつ、全体の見た目を悪くする原因となっていた。
【０００４】
【発明が解決しようとする課題】
そこで本発明者等は、色あざやかな具材から色素が滲み出るのを防ぐことによって、ベースソースの白い色と具材のあざやかな色のコントラストを際立たせ、全体の見た目が良好なホワイトソース類を製造する方法について種々研究を重ねた結果本発明を完成した。
【０００５】
【課題を解決するための手段】
すなわち、本発明は、ブランチング処理された有色香辛料および／または有色野菜を用いることを特徴とするホワイトソース類の製造方法に関する。
【０００６】
【発明の実施の形態】
有色香辛料および有色野菜のブランチング処理は、有色香辛料および有色野菜をそのままあるいは適宜の大きさにカットして熱湯に浸漬するか水蒸気で蒸す方法によって行われる。そして処理条件としては有色香辛料および有色野菜の品温が７０〜７５℃になるように処理することが好ましい。処理温度および処理時間は有色香辛料および有色野菜の種類や性質によって適宜選定すればよい。
【０００７】
本発明に用いられる有色香辛料としては、黒胡椒、唐辛子、タイム、バジル、オレガノ、セージ、ナツメグ等が挙げられる。また有色野菜としてはニンジン、ピーマン、パプリカ、ブロッコリー等が挙げられる。
【０００８】
ブランチング処理された有色香辛料および／または有色野菜は、魚介類、肉類等の具材と共にベースソースに配合される。
具材を配合するベースソースは、牛乳、生クリーム、脱脂粉乳、バター等の乳原料、小麦粉、澱粉、サラダ油、オリーブ油、乳化油脂、ショートニング等の油脂類、食塩、砂糖、白胡椒、グルタミン酸ソーダ、コハク酸ソーダ、イノシン酸、リボタイド、畜肉エキス、魚介エキス、フォン、ブイヨン等を適宜配合して調理することにより調製することができる。
このようにして狭義のホワイトソースの外、ベシャメルソース、クリームソース、ポタージュスープ等のホワイトソース類を調製することができる。
【０００９】
【実施例】
次に本発明をさらに具体的に示すために実施例を揚げて説明するが、本発明は以下の実施例のみに限定されるものではない。
【００１０】
実施例１〜５
鍋に無塩バター４５ｇを入れて、加熱することによって溶かしたところに、薄力小麦粉４５ｇを添加し、煎った。そこに、食塩１０ｇ、上白糖１０ｇ、グルタミン酸ソーダ０．５ｇ、コンソメパウダー１２ｇ、牛乳３００ｍｌ、水５００ｍｌを加えて加温し、ベースソースとした。さらに、表１に示す条件でブランチング処理した５ｍｍ角の赤ピーマン１２ｇと黒胡椒１ｇを、アサリ６０ｇとともに上記のベースソースに添加し、９０℃に達するまで加熱し、アサリ入りホワイトソースを得た。
なお未処理の赤ピーマンおよび黒胡椒を用いた以外は実施例と同様にして調製したアサリ入りホワイトソースを比較例として示す。
得られたホワイトソースを１０名のパネラーによって表２の評価基準によって評価した。その評価結果を示せば表３のとおりである。
【００１１】
【表１】
2004275045.tif 000002
【００１２】
【表２】
2004275045.tif 000003
【００１３】
【表３】
2004275045.tif 000004
【００１４】
【発明の効果】
本発明方法によれば、有色香辛料および／または有色野菜から色素が滲み出ることがないために、ベースソースの白色と、有色香辛料および有色野菜のあざやかな色のコントラストが際立ったホワイトソース類を得ることができる。
(57)【要約】【課題】畜肉を使用しないで、一度に食品素材１０種以上食べられる、野菜類いも類豆類穀物を原料とする、ミ−トボル様の保存性のある加工食品を製造するもので、健康食品、ダイエット食品として有用な食品を製造する課題の解決につとめるもである。すぐ食べられる、お総菜を提供するもので、保存性のある製品を製造するものである。【解決手段】キャベツ、玉葱、人参、ブロコリ、葱、セロリ−を洗浄する、カツタ−で細刻する、馬齢薯と甘藷は剥皮して蒸す、大豆は煮る、おからは磨砕する、米、餅米は粉砕する、小麦大麦はそれぞれ澱粉並びにグルテンとして使用する、ミキサ−に入れ調味料を加えて攪拌する、成型する、湯煮する、耐熱性の合成樹脂の袋に入れる。細刻した野菜を煮て磨砕して調味したス−プを袋に充填して真空包装する、レトルトで殺菌し冷却して製品とする。【特許請求の範囲】
【請求項１】
野菜類いも類豆類穀物などを混ぜ合わせて成型した加工食品及びその製法
【請求項２】
調味液は野菜から製造したス−プを使用した加工食品の製法
【請求項３】
長期保存に耐える高温殺菌した加工食品の製法
【発明の詳細な説明】
【０００１】
【発明が属する技術分野】
野菜類いも類豆類穀物を細刻又は粉砕して使用する従来無かつた、畜肉を使用したミ−トボ−ル様に練固めて成型した長期保存に耐える加工食品の製造方法に関するもである
【０００２】
【従来の技術】
従来この種の食品はお総菜として豆腐の加工品にヒロ−ズなどあるが、豆腐の加工品に過ぎない、又水産練製品に野菜てんぷらがあるが、全く原料の種類、配合、製品の品質、保存性の異なるものである。
【０００３】
【発明が解決しようとする課題】
健康食品として植物性の低カロリ−で、食品素材１０種類以上を一度に食べられる、安価な加工食品が求められているので、この要望に答えるために野菜類、いも類、豆類、穀物などの食品原料を細刻又は粉砕し、おから等の加工副産物
も磨砕して使用して、ミ−トボ−ル様に加工した、美味な食品の製造をめざすもので、お総菜として、弁当の詰合せ、おやつ等に最適であつて、長期保存に耐え、老人や子供も安心して食べられる食品を提供をめざすものである。
【０００４】
【課題を解決するための手段】
請求項１に記載した発明は、野菜類をカツタ−で細刻したものに、いも類の加工したもの及び豆類加工したもの、おからの磨砕したもの、穀物の粉砕したもの、各種の澱粉や麩質などの粘質物と調味料を混ぜ合わせて製造し課題を解決しようとするものである。
請求項２に記載した発明はより多くの食材を一度に食べて頂くために、多くの野菜の種類を選び（５種以上）細刻磨砕加熱調味した、野菜全成分を含むス−プを加える方法で野菜を食べさせる食品をめざすもである。
請求項３の発明はこの新しい製法による健康食品を安心して食用に供するために、完全な殺菌と長期に保存に耐える食品をめざすもである。
【０００５】
【発明実施の形態】
この発明にかかる加工食品一つの実施例を説明する。この加工食品は下記の材料及び製法で製造するものである。
玉葱キャベツ人参ブロコリ葱セロリ−を細刻する、ス−プにするものと、そのまま使用するもに分ける。馬鈴薯又は甘藷は剥皮して蒸す、大豆は煮豆とする、か焙焼して粉砕する、おからは磨砕する、穀類は粉砕する、原料の配合割合は野菜類３０豆類の加工品３０いも類の加工品２０穀類の加工品１０その他の原料及び調味料１０の割合に秤量する。これをミキサ−に入れて混ぜ合わせる、」十分攪拌して、粘性を持たせる、成型機で一定量の目方に成型する。熱湯に入れて湯煮するか、加熱した油で揚げる、又は焙焼する、加熱処理の方法により、異なつた味の製品が得られる。次に耐熱性のある合成樹脂の袋に入れる、
次にス−プ用に分けた野菜は釜に入れて煮る、磨砕機で磨砕して調味する、この調味液を袋に充填する。真空包装機で脱気密封する。高圧殺菌釜で１２０度１０分加熱殺菌冷却乾燥して製品とする。
【０００６】
【発明の効果】
この発明によれば，今迄に無かつたタイプの食品を提供することが出来る、又一度に１０種類以上の食品素材を食べられる、お総菜として、弁当のつけ合わせとして、おやつとして好適な加工食品を提供することができる。健康食品として又ダイエツトな有用な加工食品を提供することができる。
(57)【要約】【課題】土（土壌等）に力を付けるのに良い光合成細菌の仲間の紅色非硫黄細菌の原材料として、食品衛生法で認められている食品添加物の酢酸ナトリウム・プロピオン酸ナトリウム・硫酸マグネシュウム・硫酸アンモニウムやビール酵母・食物繊維・ミネラル等を使い土壌や農産物等体に良い原材料を使い、培養のスピード化を進める。【解決手段】化学肥料や農薬使用で疲れ土壌の活性力が低下している土壌改良に良い、光合成細菌の仲間の紅色非硫黄細菌培養の原材料として食品衛生法で認めている、食品添加物の酢酸ナトリウム・プロピオン酸ナトリウム・硫酸マグネシュウム・硫酸アンモニウムやビール酵母・食物繊維・ミネラル等を使う、又資材は市販品であり、調達が簡単であり培養のスピード化が可能であって、又土から栄養分を吸収した農産物等を食べても人体により安全である、今後有機農法分野での使用に適しているのではないかと思われる。【特許請求の範囲】
【請求項１】
土（土壌等）に力を付けるのに良い光合成細菌の仲間の紅色非硫黄細菌の原材料として、食品添加物の酢酸ナトリウム・プロピオン酸ナトリウム・硫酸マグネシュウム・硫酸アンモニウムやビール酵母・食物繊維・ミネラル等を使う。
【発明の詳細な説明】
【０００１】
【発明が属する技術分野】
この発明は、大気中の窒素ガスを取り込み窒素固定した微生物の遺体が増え土壌窒素が増加する働きの有る、光合成細菌の仲間の紅色非硫黄細菌の培養製造法である。
【０００２】
【従来の技術】
従来から、土壌改良に良い光合成細菌の仲間の紅色非硫黄細菌が、培養され土壌改良資材として利用されていますが、培養液等が土壌や作物に及ぼす影響等を考えていない製造法である。
【０００３】
【発明が解決しようとする課題】
光合成細菌の仲間の紅色非硫黄細菌の良いことは知られているので、原材料をより安全な物に換え、土壌や農産物・植物に良く、体にも良い食品衛生法で認められている食品添加物を利用する方法である。
【０００４】
【課題を解決するための手段】
光合成細菌の仲間の紅色非硫黄細菌の原材料として、食品添加物の酢酸ナトリウム・プロピオン酸ナトリウム・硫酸マグネシュウム・硫酸アンモニウムやビール酵母・食物繊維・ミネラル等を使う。
【０００５】
【発明の実施の形態】
光合成細菌の仲間の紅色非硫黄細菌の培養物質として食品衛生法で認めている、食品添加物の酢酸ナトリウム・プロピオン酸ナトリウム・硫酸マグネシュウム・硫酸アンモニウムやビール酵母・食物繊維・ミネラル等は市販品であり、調達が簡単であり培養のスピード化が可能であって、又土から栄養分を吸収した農産物・植物等を食べても人体により安全な食べ物である。
【０００６】
【発明の効果】
最近土壌は化学肥料や農薬使用で疲れ土壌の活性力が低下しているので、有用微生物の光合成細菌の仲間の紅色非硫黄細菌を使い豊かな土作りをする為、食品衛生法で認められた食品添加物の酢酸ナトリュウム・プロピオン酸ナトリウム・硫酸マグネシュウム・硫酸アンモニウムやビール酵母・食物繊維・ミネラル等を使い培養のスピード化を進める、又土から栄養分を吸収した農産物・植物等を食べても人体により安全な食べ物である。
(57)【要約】【課題】樹木に対して作業者が回り込まずに扁平型フードを回すだけで完全散布を可能にして、一方向進行作業，即ち作業し易く，最小限の疲労度による高能率作業が可能になる広角除草用ノズルを得る。【解決手段】扁平型フード２の基板部２ａに貫挿されてフード内に突出する噴口部３ａとフード外に突出する芯軸部３ｂとを有するノズル先部３と、このノズル先部３に対して互いに回転するように芯軸部３ｂに装着されかつフード基板部２ａの外面に対して互いに回転するように下方に位置する弾性板部６ａを有するノズル基部６とからなり、かつ弾性板部６ａとフード基板部２ａとが対接する回転円周上に係合する凹凸５，７を設け、ノズル基部６を噴管に取り付けた状態でフード２を回したときに，弾性板部６ａの弾性力によって凹凸５，７が係合離脱してフード２の回転位置決めを行うようにしてなる。【選択図】        図３
2004275980.tif 000002
【特許請求の範囲】
【請求項１】
扁平型フードの基板部に貫挿されてフード内に突出する噴口部とフード外に突出する芯軸部とを有するノズル先部と、このノズル先部に対して互いに回転するように前記芯軸部に装着されかつ前記フード基板部の外面に対して互いに回転するように下方に位置する弾性板部を有するノズル基部とからなり、かつ前記弾性板部とフード基板部とが対接する回転円周上に係合する凹凸を設け、前記ノズル基部を噴管に取り付けた状態で前記フードを回したときに，前記弾性板部の弾性力によって前記凹凸が係合離脱して前記フードの回転位置決めを行うようにしたことを特徴とする広角除草用ノズル。
【発明の詳細な説明】
【０００１】
【発明の属する技術分野】
この発明は、作業者の持つ噴管の先に取り付けて使用する扁平型フード付き広角除草用ノズルに関するものである。
【０００２】
【発明が解決しようとする課題】
果樹園などでは、作業者は散布道を一方向に進みながら両側の樹木に順番に薬液を散布してゆく。このように決められた一つの方向に作業者が進んでゆくことが、広大かつ斜面での困難な散布作業をし易くかつ疲労度を最小限にする高能率作業を可能にしている。
【０００３】
ところが、従来のこの種の広角除草用ノズルでは、噴管に対して扁平型フードの向き（角度）が固定されているので、作業者が一方向に進みながら両側の樹木に薬液を散布するとき、１本の樹木に対して噴管の差し出す角度が小さくなるために扁平型フードの動き（角度）が限定され、樹木に対して散布できない部分，散布しにくい部分ができてしまう。
【０００４】
そのために、作業者は１本の樹木に対して道なきところに回り込んで作業をしなければならず、これが度々となるとその作業疲労度は一方向進行作業の疲労度と比べて大きく、作業時間が掛かって能率の悪い作業となっている。
【０００５】
【課題を解決するための手段】
この発明に係る広角除草用ノズルはかかる点に鑑みてなされたもので、樹木に対して作業者が回り込まずに扁平型フードを回すだけで完全散布を可能にすることにより、一方向進行作業，即ち作業し易く，最小限の疲労度による高能率作業が可能になる。
【０００６】
【発明の実施の形態】
この発明の一実施の形態を図１〜図４について説明する。図１は側面図、図２は図１を上からみた図、図３は図２中イーイ線に沿う拡大断面図、図４は図３中ローロ線に沿う拡大断面図である。
【０００７】
図において、１は噴管、２は扁平型フード、３は扁平型フード２の基板部２ａに貫挿されてフード２内に突出する噴口部３ａとフード２外に突出する芯軸部３ｂとからなるノズル先部、４は基板部２ａの外面に取り付けられてその外周に４個の凹部５を有する位置決め板、６はノズル先部３の芯軸部３ｂに対して互いに回転するように装着されかつ位置決め板４に被さるように位置する弾性板部６ａを有するノズル基部、７は弾性板部６ａに設けた凸部で、弾性板部６ａの弾性力によってその回転円周上で凹部５にそれぞれ係合離脱するようになっている。なお、図中８は２本のロールピンで、ノズル先部３とノズル基部６とを回転可能に連結している。
【０００８】
今、噴管１を持った状態で、扁平型フード２を右あるいは左に回すと、扁平型フード２が９０度回ったところで弾性板部６ａの弾性力によって凹部５から飛び出していた凸部７が次に回ってくる凹部５に嵌り込むので、扁平型フード２が９０度回った，つまり図２において噴管１に対して扁平型フード２が直交する方向の向きに変わる。
【０００９】
このように扁平型フード２を右あるいは左に回すことにより簡単に扁平型フード２の向きが変わるので、作業者は１本の樹木に対して道なきところに回り込まなくてもよく、扁平型フード２を回すだけで一方向進行作業が可能になる。
【００１０】
上記実施の形態では扁平型フード２の基板部２ａの外面に位置決め板４により凹部５を構成しているが、この位置決め板４はなくても良く、基板部２ａの外面に直接凹部５を形成することも可能である。また凹部５，凸部７の位置関係を逆にしても良いし、その数も４個に限らず，例えば８個にすれば扁平型フード２の向きを４５度毎に変えることも可能である。
【００１１】
【発明の効果】
以上のように、この発明によれば樹木に対して作業者が回り込まずに扁平型フードを回すだけで完全散布が可能になるので、一方向進行作業，即ち作業し易く，最小限の疲労度による高能率作業が可能になるという効果が得られる。
【図面の簡単な説明】
【図１】この発明の一実施の形態を示す側面図である
【図２】図１を上からみた図である
【図３】図２中イーイ線に沿う拡大断面図ある
【図４】図３中ローロ線に沿う拡大断面図である
【符号の説明】
１    噴管
２    扁平型フード
２ａ  基板部
３    ノズル先部
３ａ  噴口部
３ｂ  芯軸部
４    位置決め板
５    凹部
６    ノズル基部
６ａ  弾性板部
７    凸部
８    ロールピン
【図１】
2004275980.tif 000003
【図２】
2004275980.tif 000004
【図３】
2004275980.tif 000005
【図４】
2004275980.tif 000006